(57)【要約】【課題】  開き戸用ドア、又は引戸用ドアを対象とし、湿度の変化や気温の変化によって反りにくいドア構造の提供。【解決手段】  ドアは中央Ｒ部２とこの中央Ｒ部２の両端に取付けられる縦部材１，１とで構成され、上記中央Ｒ部２は２枚の表面板３，３の間に厚さの違う複数本の心材４ａ，４ｂ，４ｂを挟み込むことで、該表面板３，３は滑らかな凸状曲面を形成した形状とし、上記縦部材１，１の内側端には凹溝６，６を全長にわたって設け、この凹溝６，６に上記中央Ｒ部２の先端部を嵌合して固着している。【選択図】    図１
2010053549.tif 000002
【特許請求の範囲】
【請求項１】
開き戸用ドア、又は引戸用ドアであって、ドアは中央Ｒ部と該中央Ｒ部の両端に取付けられる縦枠部とで構成され、上記中央Ｒ部は２枚の表面板の間に厚さの違う複数本の心材を挟み込むことで、該表面板は滑らかな凸状曲面に湾曲した形状とし、上記縦枠部の内側端には凹溝を全長にわたって設け、この凹溝に上記中央Ｒ部の先端部を嵌合して固着したことを特徴とするドア構造。
【請求項２】
上記複数本の心材を互いに連結した請求項１記載のドア構造。
【請求項３】
上記両表面板の間に挟み込んだ心材を表面板と接着剤を介して固定した請求項１、又は請求項２記載のドア構造。
【発明の詳細な説明】
【技術分野】
【０００１】
本発明は開き戸用ドア、及び引戸用のドアであって、中央部の両面が滑らかな凸状を成しているドア構造に関するものである。
【背景技術】
【０００２】
開き戸用ドアは出入口に蝶番などの継手を介して開閉可能に取付けられ、引戸用ドアは上レールに吊設されてスライドすることが出来る。又、引戸用ドアの場合、下レールに乗って移動する戸車を取付けている場合もある。ところで、該ドアの形態は一般的に縦長の長方形を成し、縦枠と横枠にて枠組みした枠体内部にペーパーコアを充填し、両面には表面材を貼着した構造と成っている。
【０００３】
図４は従来の一般的なドア構造を示す横断面図である。同図の（イ）は縦枠、（ロ）は表面材、（ハ）はペーパーコアを夫々表している。該ドアの表面材（ロ）、（ロ）は木質で構成され、ドアを境として両面側の湿度や温度に違いが生じるならば、両表面材（ロ）、（ロ）の伸び縮みの差異に基づき、該ドアに反りが発生する。上記縦枠（イ）、（イ）の厚さ寸法が大きい場合にはドアの反りも抑制されるが、厚さの薄いドアであれば縦枠（イ）、（イ）を太くすることは出来ない。
【０００４】
図５は反った状態のドアを表している。表側表面材（ロ）が伸び、裏側表面材が縮んだ場合で、ドアは反って同図のようになる。両表面材（ロ）、（ロ）は枠体及びペーパーコア（ハ）の両面に貼着されているだけで、湿度や温度の差異によってその伸縮度に変化が生じ、同図のように反ってしまう。ドアに反りが発生すると、閉じた際に戸当りとの間に隙間が生じる。
【０００５】
特開２００８−４５３０４号に係る「ドア」は、反りを抑制した構造と成っている。すなわち、縦芯材と横芯材とが方形状に枠組された四方芯材と、該四方芯材で囲まれた内部空間を仕切る桟材と、補強層と、内部空間に充填された樹脂発泡体と、表面側及び裏面側に貼着された化粧材などからなり、該補強層は、金属板とプラスチック積層板とが縦芯材、横芯材の表面上で突き合わされた状態としており、金属板としてはガルバニウム鋼板が用いられている。
【０００６】
特開２００６−２９１５９０号に係る「ドア及びその製造方法」は、内部に金属パイプを有すると共に、ドア内外を通ずる空気出入孔が形成され、これにより反りが少ないドアを提供すると共に、金属パイプを非接着にて組付けドアの廃棄時、金属パイプを取り出し易くしている。
そこで、左右の棧と上下部の棧が組付けられ、上下部の棧には空気出入孔が形成されている。左右の棧と平行に一対の中棧が設けられ、この一対の中棧間に金属パイプが非接着で挿着セットされた状態で面材が接合されている。
【０００７】
反りを抑制した構造のドアはこれらの他にも色々存在している。しかし、反り防止の為に構造が複雑化し、重量が大きくなり、必然的に製造コストは高くなる。
【特許文献１】特開２００８−４５３０４号に係る「ドア」
【特許文献２】特開２００６−２９１５９０号に係る「ドア及びその製造方法」
【発明の開示】
【発明が解決しようとする課題】
【０００８】
このように、反りを抑制したドアは色々知られているが、上記のごとき問題がある。本発明が解決しようとする課題はこれら問題点であって、簡単な構造で反りが抑制され、しかも外観・意匠の点においても目新しく、好ましいドア構造を提供する。
【課題を解決するための手段】
【０００９】
本発明に係るドア構造は、基本的構造は３ピースにて構成され、両縦枠部と中央Ｒ部が組み合わされている。中央Ｒ部とは２枚の表面板の間に厚さの異なる心材を挟み込んで構成し、その結果、両表面板は表面側に突出した滑らかな凸状曲面を形成する。該心材は中央及びその他の適当な位置にバランスをとって配置され、表面板と心材は互いに接着・固定されている。
【００１０】
そして、両側に設けられる縦枠部の内側端には凹溝が長手方向に設けられ、この凹溝に中央Ｒ部の先端部が嵌合して組み付けられる。勿論、先端部は凹溝に嵌ると共に、外れないように接着される。ここで、中央Ｒ部は両表面板の間に心材が所々に配置されていて、各心材の間は空間と成っているが、上端及び下端に上板及び下板を取付けて空間を塞ぐこともある。又、複数本の各心材が位置ズレしないように互いに連結する場合もある。
【発明の効果】
【００１１】
本発明に係るドアは両縦枠部と中央Ｒ部を組合せて構成しているが、該中央Ｒ部はその両表面板が滑らかに湾曲していることで、反り難くなる。すなわち、間に心材を挟んで湾曲し、その為に表面板には初期応力(内部応力)が前以て付勢された状態にあり、この初期応力を超えるような応力が作用しない限り、そりは発生しない。すなわち、両表面板が湿気、熱、その他の影響で伸縮に伴って歪みが発生しても、この歪みに基づく応力が上記初期応力を超えない限り、反り難くなる。
【００１２】
一方、ドアの中央に中央Ｒ部を設けることで、該ドアのデザインが斬新化する。中央部に厚さの薄い平坦な板材を組み込んだ構造のドアは数多く存在しているが、滑らかな凸状曲面を形成した中央Ｒ部は本発明独自の形態であり、反り防止機能と共に、外観・意匠における効果を備えている。
【実施例】
【００１３】
図１は本発明に係るドア構造を示す実施例である。同図の１は縦枠部、２は中央Ｒ部を夫々表し、両縦枠部１，１にて中央Ｒ部２を両側から挟んだ構造と成っている。上記縦枠部１は概略長方形断面の細長い枠材であり、その材料は一般に木質とし、しかも厚さ寸法は小さい為に強度・剛性は低く、その為に反りを防止する役目は殆どない。ところで、本発明に係るドアを構成する縦枠部１及び中央Ｒ部２の材料は基本的に木質とするが具体的には限定しない。中央Ｒ部２を構成する表面板３は合板又は中質繊維板が使用される場合が多い。
【００１４】
図２は中央Ｒ部２を示している。同図の３は表面板、４は心材を示し、両表面板３，３の間に１本の心材４ａと２本の心材４ｂ，４ｂが介在し、両表面板３，３は滑らかな凸状曲面を形成している。同図に示す中央Ｒ部２は、説明の都合上、その両表面板３，３の曲率を大きく描いているが、中央の心材４ａを中心として両側には厚さを小さくした心材４ｂ，４ｂが配置されている。従って、これら各心材４ａ，４ｂ，４ｂを挟み込んだ両表面板３，３は滑らかな凸状に湾曲する。時には、５本の心材、又は７本の心材を使用することも可能である。
【００１５】
ここで、各心材４ａ，４ｂ，４ｂと両表面板３，３は接着剤にて接着されて、中央Ｒ部２を構成している。しかし、心材４ａ，４ｂ，４ｂと接着した両表面板３，３は滑らかな凸状に湾曲するが、両先端は同図に示すごとく接合することはなく、両先端は多少開口して隙間を有す。ところで、このように構成した中央Ｒ部の両先端には縦枠部１，１が取付けられる。
【００１６】
図３は上記縦枠部１を単独で表している具体例であり、同図のように概略長方形断面の枠材から成っている。そして、内側端５には凹溝６を形成している。該凹溝６は縦枠部１の全長にわたって設けられ、この凹溝６に中央Ｒ部２の先端部が嵌合して接着される。ここで、凹溝６の断面形状は中央Ｒ部２の先端部断面形状と成っていて、凹溝６に嵌合した状態で該凹溝６との間に隙間を生じないようにしている。
【００１７】
このように、中央Ｒ部２の両端に縦枠部１，１を嵌合することで、前記図１に示すドアが完成する。ところで、本発明のドアは中央Ｒ部２を前以て製作し、この中央Ｒ部２の両端に別途製作した縦枠部１，１を嵌合して組立てる場合に限定するものではない。例えば、２枚の平坦な表面板３，３の両端に縦枠部１，１を嵌合し、この状態で両表面板３，３を拡げ、間に心材４ａ，４ｂ，４ｂを嵌めることも出来る。
【００１８】
すなわち、本発明ではドアの組み立て方法に関しては限定しないことにする。両表面板３，３の間に心材４ａ，４ｂ，４ｂを配置し、凹状に湾曲した押え面を有す両金型によって押圧することで、両表面材３，３は金型の押え面に馴染んで滑らかな凸状曲面に湾曲し、この状態で中央Ｒ部２の両端部を縦枠部１，１の凹溝６，６に嵌めて組立てることも可能である。
【００１９】
ところで、複数本の心材４ａ，４ｂ，４ｂを挟み込んで滑らかな凸状曲面に湾曲して構成される中央Ｒ部２は、ある程度の膨らみを有すことで剛性は向上する。２枚の平坦な表面板３，３を重ね合わせただけの中央部材に比較して、その強度・剛性は大きい。しかも、滑らかな凸状に湾曲することで、表面材３，３には所定の初期応力(内部応力)が存在している。
【００２０】
この初期応力があることで、例えば湿度の変化や気温の変化によって表面板３，３が伸縮する場合、この伸縮に伴って生じる応力が上記初期応力以内であれば、表面板３，３を貼り合せた中央Ｒ部２が反ることはない。少なくとも、その反りは抑制され、ひいては反りにくいドアとなる。
【図面の簡単な説明】
【００２１】
【図１】本発明に係るドア構造を示す実施例。
【図２】ドアを構成する中央Ｒ部の具体例。
【図３】ドアを構成する縦部材。
【図４】従来のドア横断面図。
【図５】ドアが反った場合の形状。
【符号の説明】
【００２２】
１  縦部材
２  中央Ｒ部
３  表面板
４  心材
５  内側端
６  凹溝
【図１】
2010053549.tif 000003
【図２】
2010053549.tif 000004
【図３】
2010053549.tif 000005
【図４】
2010053549.tif 000006
【図５】
2010053549.tif 000007